(57)【要約】【課題】水道水を飲料のために改質するに際し、水質改質材による水道水の衛生的な水質改質を長期間に亘り持続させることのできる水質改質具を提供する。【解決手段】取付け手段によって水道の蛇口部３に着脱可能に取り付けられるプラスチック製の有底の収容筒体５と、収容筒体５の上端の口部分６を通して該収容筒体５内に収容され且つ該収容筒体５の底部１２で下方から支持される水質改質材パック７を具える。収容筒体５内に流入された水道水が水質改質材パック７を透過して、底部１２に設けた流出孔１１から流出する。収容筒体５の下端には、底部１２を載置部から浮き上がらせる脚部１６を有する。【選択図】図４
0003209734.tif 000002
【実用新案登録請求の範囲】
【請求項１】
取付け手段によって水道の蛇口部に着脱可能に取り付けられるプラスチック製の有底の収容筒体と、該収容筒体の上端の口部分を通して該収容筒体内に収容される水質改質材パックとを具えており、
前記水質改質材パックは、水道水を透過させ得る水質改質材を透水性の容体に収納してなり、前記収容筒体は、流出孔が設けられてなる底部で前記水質改質材パックを下方から支持でき、
前記蛇口部の吐水口から前記口部分を通して前記収容筒体内に流入された水道水が前記水質改質材パックを透過して前記流出孔から流出するようになされており、
前記収容筒体の下端には脚部が突設され、該脚部の下端が載置部に載置されることによって、前記底部が該載置部から浮き上がるように構成されていることを特徴とする水道水の水質改質具。
【請求項２】
前記収容筒体は、平面視で正方形状を呈するプラスチック製の角筒体を以て構成されており、該角筒体には、その下端に位置させて前記底部が設けられており、該角筒体の該底部よりも下側の部分が、周方向に連続する前記脚部とされていることを特徴とする請求項１記載の水道水の水質改質具。
【請求項３】
前記収容筒体内に前記水質改質材パックが収容された状態で該水質改質材パックが該収容筒体の下端側の部分の内面に接する場合、該下端側の部分にも前記流出孔が設けられていることを特徴とする請求項１又は２記載の水道水の水質改質具。
【請求項４】
前記水質改質材は、炭の砂状粒状物であることを特徴とする請求項１〜３の何れかに記載の水道水の水質改質具。
【請求項５】
前記水質改質材は、炭の砂状粒状物とミネラル材の砂状粒状物とを混合したものであることを特徴とする請求項１〜３の何れかに記載の水道水の水質改質具。
【請求項６】
前記水質改質材パックは、炭の砂状粒状物としての前記水質改質材を透水性の容体に収納してなる第１のパックと、ミネラル材の砂状粒状物としての前記水質改質材を透水性の容体に収納してなる第２のパックとを具え、該第１のパックと該第２のパックを積重してなることを特徴とする請求項１〜３の何れかに記載の水道水の水質改質具。
【請求項７】
前記取付け手段は、前記収容筒体の上端の縁部分に付設されて前記蛇口部に結着され或いは前記蛇口部に掛着される紐状部材であることを特徴とする請求項１〜６の何れかに記載の水道水の水質改質具。
【請求項８】
前記紐状部材は、前記収容筒体の前記口部分を覆うことができる布製のカバー片を具え、該カバー片の下端部分が前記収容筒体の上端の縁部分に付設されており、該カバー片の上端に、細長の紐部の下端が連設されていることを特徴とする請求項７記載の水道水の水質改質具。
【請求項９】
前記取付け手段は、前記収容筒体に付設されて前記蛇口部に磁気吸着される磁石であることを特徴とする請求項１〜６の何れかに記載の水道水の水質改質具。
【請求項１０】
前記取付け手段は、前記収容筒体に付設されて前記蛇口部に掛着されるフック部であることを特徴とする請求項１〜６の何れかに記載の水道水の水質改質具。
【考案の詳細な説明】
【技術分野】
【０００１】
本考案は、水道の蛇口部に着脱可能であって水道水の水質を良好に改質できる水道水の水質改質具に関するものである。
【背景技術】
【０００２】
水道水を浄化してその水質を飲料により適したものとなるように改質せんとして提供されている従来の浄水器は、活性炭等の水質改質材を収容してなる浄水器本体を水道の蛇口部に取り付けることによって、該浄水器本体内に流入した水道水を、該水質改質材に通過させることによってこれを浄化せんとするものであった。
【０００３】
かかる浄水器本体を前記蛇口部に取り付ける取付け手段としては各種の手段が提案されている。例えば特許文献１が開示する手段は、該蛇口部を前記浄水器本体の取り付け孔部に挿入して後に取付けナットを締め付けて前記取付けを行うものであり、特許文献２が開示する手段は、前記蛇口部を前記浄水器本体の取り付け孔部に挿入して後、横ネジと縦ネジのねじ込み操作を適切に行って前記取り付けを行うものである。
【０００４】
このように従来の浄水器にあってはその取付け手段が構造的に複雑であって、前記蛇口部に対する前記浄水器本体の取り付けに手間を要し、浄水器の洗浄等に際してこれを蛇口部から取り外そうとしても簡単ではなかった。
【０００５】
それゆえ従来の水質改質具は、これを蛇口部に一旦取り付けた後は、前記水質改質材が劣化して交換の必要が生ずるまで該蛇口部に付けっ放しの状態とされた。そのため、水道水の浄化作用が水道水の使用目的に関係なく継続することになった。
【０００６】
水道水の浄化は、本来、水道水を飲料水として使用するときにだけなされればよいのであり、野菜や食器類を洗浄する場合等、水道水を飲料水として使用しない場合はこれを浄化する必要は特にない。このようなことから、従来の浄水器にあっては前記水質改質材の劣化を早める不経済があったといえる。
【先行技術文献】
【特許文献】
【０００７】
【特許文献１】特開２０１５−８５２５５号公報
【特許文献２】特開２００１−２４６３７１号公報
【考案の概要】
【考案が解決しようとする課題】
【０００８】
本考案は前記従来の問題点に鑑みて開発されたものであり、水道水を飲料のために改質するに際し、水質改質材による水道水の衛生的な水質改質を長期間に亘り持続させることができて経済性に優れる水道水の水質改質具の提供を課題とするものである。
【課題を解決するための手段】
【０００９】
前記課題を解決するため本考案は以下の如き手段を採用する。
即ち本考案に係る水道水の水質改質具（以下水質改質具という）の第１の態様は、取付け手段によって水道の蛇口部に着脱可能に取り付けられるプラスチック製の有底の収容筒体と、該収容筒体の上端の口部分を通して該収容筒体内に収容される水質改質材パックとを具えており、前記水質改質材パックは、水道水を透過させ得る水質改質材を透水性の容体に収納してなり、前記収容筒体は、流出孔が設けられてなる底部で前記水質改質材パックを下方から支持できる。又、前記蛇口部の吐水口から前記口部分を通して前記収容筒体内に流入された水道水が前記水質改質材パックを透過して前記流出孔から流出するようになされており、前記収容筒体の下端には脚部が突設され、該脚部の下端が載置部に載置されることによって、前記底部が該載置部から浮き上がるように構成されていることを特徴とするものである。
【００１０】
本考案に係る水質改質具の第２の態様は、前記第１の態様において前記収容筒体は、平面視で正方形状を呈するプラスチック製の角筒体を以て構成されており、該角筒体には、その下端に位置させて前記底部が設けられており、該角筒体の該底部よりも下側の部分が、周方向に連続する前記脚部とされていることを特徴とするものである。
【００１１】
本考案に係る水質改質具の第３の態様は、前記第１態様又は前記第２の態様において、前記収容筒体内に前記水質改質材パックが収容された状態で該水質改質材パックが該収容筒体の下端側の部分の内面に接する場合、該下端側の部分にも前記流出孔が設けられていることを特徴とするものである。
【００１２】
本考案に係る水質改質具の第４の態様は、前記第１の態様〜第３の態様の何れかにおいて、前記水質改質材は、炭の砂状粒状物であることを特徴とするものである。
【００１３】
本考案に係る水質改質具の第５の態様は、前記第１の態様〜第３の態様の何れかにおいて、前記水質改質材は、炭の砂状粒状物とミネラル材の砂状粒状物とを混合したものであることを特徴とするものである。
【００１４】
本考案に係る水質改質具の第６の態様は、前記第１の態様〜前記第３の態様の何れかにおいて、前記水質改質材パックは、炭の砂状粒状物としての前記水質改質材を透水性の容体に収納してなる第１のパックと、ミネラル材の砂状粒状物としての前記水質改質材を透水性の容体に収納してなる第２のパックとを具え、該第１のパックと該第２のパックを積重してなることを特徴とするものである。
【００１５】
本考案に係る水質改質具の第７の態様は、第１の態様〜第６の態様の何れかにおいて、前記取付け手段が、前記収容筒体の上端の縁部分に付設されて前記蛇口部に結着され或いは前記蛇口部に掛着される紐状部材であることを特徴とするものである。
【００１６】
本考案に係る水質改質具の第８の態様は、第７の態様において、前記紐状部材は、前記収容筒体の前記口部分を覆うことができる布製のカバー片を具え、該カバー片の下端部分が前記収容筒体の上端の縁部分に付設されており、該カバー片の上端に、細長の紐部の下端が連設されていることを特徴とするものである。。
【００１７】
本考案に係る水質改質具の第９の態様は、第１の態様〜第６の態様の何れかにおいて、前記取付け手段が、前記収容筒体に付設されて前記蛇口部に磁気吸着される磁石であることを特徴とするものである。
【００１８】
本考案に係る水質改質具の第１０の態様は、第１の態様〜第６の態様の何れかにおいて、前記止着部材が、前記収容筒体に付設されて前記蛇口部に掛着されるフック部であることを特徴とするものである。
【考案の効果】
【００１９】
本考案は以下の如き優れた効果を奏する。
(1) 本考案に係る水質改質具は、水質改質材パックが収容されてなる前記収容筒体を水道の蛇口部に着脱可能とすると共に、該収容筒体を取り外した後は該収容筒体を、前記脚部の下端で載置部に載置することにより、該水質改質材パックが該載置部から浮き上がった状態となし得る。
【００２０】
従って本考案によるときは、水道水を飲料用に使用するときにだけ前記収容筒体を蛇口部に取り付けて前記水質改質材で水道水を浄化できる。それ故、水質改質材の劣化の進行を遅くでき、水質改質具の使用上の経済性を向上させることができる。
【００２１】
又、この取り外した収容筒体は、前記脚部の下端を、流し台の上面等の前記載置部に載置することによって前記水質改質材パックを浮き上がった状態となし得るため、収容筒体が前記蛇口部分から取り外された状態において、該水質改質材パックを衛生的に保持できる。
【００２２】
(2) 前記水質改質材を透水性の容体に収納して水質改質材パックを構成するに際して、該水質改質材を、炭の砂状粒状物とミネラル材の砂状粒状物とを混合したものとする場合は、該ミネラル材から溶出するミネラル成分を水道水に混入させることができ、これによって水道水を改質でき、品質の良いミネラルウォーターを得ることができる。
【００２３】
(3) 前記紐状部材が、前記収容筒体の前記口部分を覆うことができる布製のカバー片を具え、該カバー片の下端部分が前記収容筒体の上端の縁部分に付設されており、該カバー片の上端に、細長の紐部の下端が連設されている場合は、前記収容筒体を前記蛇口部に結着により着脱可能に取り付けるに際し、該紐部の結び長さを調整して行うことができるため、該蛇口部の各種サイズに応じ易い。
【図面の簡単な説明】
【００２４】
【図１】本考案に係る水質改質具を示す斜視図である。
【図２】本考案に係る水質改質具を構成する収容筒体を示す斜視図である。
【図３】本考案に係る水質改質具を載置部に載置した状態を水質改質材パックと共に示す断面図である。
【図４】本考案に係る水質改質具の使用状態を示す断面図である。
【図５】本考案に係る水質改質具を構成する収容筒体の上端の口部分をカバー片で略覆った状態を示す斜視図である。
【図６】該収容筒体の上端の口部分を両紐状部材で略覆った状態の他の態様を示す正面図である。
【図７】有底の円筒体として構成されてなる収容筒体を示す斜視図である。
【図８】有底の六角形筒体として構成されてなる収容筒体を示す斜視図である。
【図９】有底の八角形筒体として構成されてなる収容筒体を示す斜視図である。
【図１０】脚部の他の態様を示す斜視図である。
【図１１】取付け手段の他の態様を示す断面図である。
【図１２】その取付け手段の使用状態を示す斜視図である。
【図１３】収容筒体の下端側の部分にも流出孔が設けられてなる水質改質具を示す断面図である。
【図１４】水質改質材パックの他の態様を示す断面図である。
【図１５】カバー片の下端部分を挿入させるための挿入溝を、Ｚ字状の部材を用いて構成した場合を示す断面図である。
【考案を実施するための形態】
【実施例１】
【００２５】
図１〜４において本考案に係る水質改質具１は、取付け手段２によって水道の蛇口部３（図４）に着脱可能に取り付けられるプラスチック製の有底の収容筒体５と、該収容筒体５の上端の口部分６を通して該収容筒体５内に収容される水質改質材パック７（図３）とを具えている。該水質改質材パック７は、図３に示すように、水道水を透過させ得る水質改質材９を透水性の容体１０に収納してなり、前記収容筒体５は、流出孔１１が設けられてなる底部１２で該水質改質材パック７を下方から支持できる。そして、前記蛇口部３の吐水口１３から前記口部分６を通して前記収容筒体５内に流入された水道水が該水質改質材パック７を透過して前記流出孔１１から流出するようになされている。又、前記収容筒体５の下端１５には脚部１６が突設されており、図３に示すように、該脚部１６の下端１７が載置部１９に載置されることによって、前記底部１２が該載置部１９から浮き上がるように構成されている。
【００２６】
前記収容筒体５は、本実施例においては図１〜３に示すように、平面視で正方形状を呈するプラスチック製の正方形状の角筒体２０を以て構成されており、図２〜３に示すように、該角筒体２０には、その下端２１に位置させて前記底部１２が設けられている。そして、該角筒体２０の下端２１には、該下端２１が下方に延長された状態で、周方向に連続して角筒状を呈する前記脚部１６が一体に突設されている。
【００２７】
かかる構成を有する角筒体２０は、その意匠性を向上させるために、その全体を乳白色等の適宜色に着色したり、その外表面２２に写真や絵等をプリントするのがよい。
【００２８】
前記正方形状の前記角筒体２０の各部の寸法を例示すれば、正方形の一辺の長さが５０ｍｍ程度に設定されると共にその高さが９５ｍｍ程度に設定されている。又、該角筒体２０の各部の肉厚は例えば１ｍｍ程度に設定されている。そして前記底部１２の下面２３は、図３に示すように、前記脚部１６の下端１７から５ｍｍ程度浮き上がっており、該底部１２には、例えば０．５ｍｍ径の前記流出孔１１の多数が分散状態に設けられている。
【００２９】
又図１〜４に示すように、前記角筒体２０の上端の縁部分２４に、前記取付け手段２を構成する紐状部材２６が固定状態に付設されている。本実施例においては、前記角筒体２０の左右対向する外表面２２ａ，２２ａの上端面部分２５，２５に、該取付け手段２を構成する左右一対の該紐状部材２６，２６の前記カバー片２９，２９の下端部分２７，２７が固着されている
【００３０】
該紐状部材２６，２６の夫々は、例えば布製であり、本実施例においては図１に示すように、例えば５０ｍｍ程度の幅寸法を有して前記角筒体２０の上端の前記口部分６を略覆うことができるカバー片２９を具え、該カバー片２９の下端部分２７が前記収容筒体５の前記上端面部分２５に固着されている。そして、該カバー片２９の上端には細長の紐部３１の下端３２が連設されている。
【００３１】
前記下端部分２７を前記上端面部分２５に固着する手段としては、本実施例においては図２〜３に示すように、前記角筒体２０の左右対向する外側面２２ａ，２２ａの前記上端面部分２５，２５に、両端３５，３５（図２）及び上端３６（図２）が開放された挿入溝３７を設け、該下端部２７を該挿入溝３７に挿入して接着剤で接着する構成を採用している。
【００３２】
前記水質改質材９は本実施例においては、木炭や活性炭、備長炭等の炭を砂状に砕いて形成した炭の砂状粒状物と、ミネラル材の砂状粒状物とを略半々に混合したものを用いてなり、これを、袋体等の透水性の前記容体（例えば布製の容体）１０に収容して前記水質改質材パック７を構成することとしている。該水質改質材パック７は図３に示すように、前記角筒体２０（前記収容筒体５）の上端の前記口部分６を通して該角筒体２０内に収容され前記底部１２で下方から支持されるものであり、該水質改質材パック７の厚さは例えば２０ｍｍ程度に設定される。  
【００３３】
然して例えば図４に示すように、前記蛇口部３の吐水口１３を前記口部分６の上部分乃至、前記口部分６の稍上側に位置させた状態で、左右の前記紐部３１，３１を該蛇口部３に結着することによって、前記取付け手段２を介して前記角筒体２０を前記蛇口部３に取り付けることができる。
【００３４】
然して図４に示すように、前記角筒体２０を前記蛇口部３に取り付けた状態で、該蛇口部３の前記吐水口１３から水道水を吐出させると、該水道水は、前記水質改質材パック７を透過して前記底部１２の前記流出孔１１の夫々からシャワー状に流出する。本実施例においては、前記角筒体２０には、その底部１２にしか前記流出孔１１が設けられていないため、該角筒体２０内に流入した水道水は、その全てが前記水質改質材パック７を透過して該流出孔１１で流出する。
【００３５】
従って、該角筒体２０内に流入した水道水の全てが、該水質改質材７によって水質が改質されて前記流出孔１１から流出することとなる（図４）。本実施例においては前記水質改質材９が、前記のように炭の砂状粒状物とミネラル材の砂状粒状物とを混合したものであるため、該炭の砂状粒状物によって、水道水に含まれている錆や塩素等の不純物を吸着除去できると共に、該ミネラル材から溶出するミネラル成分を該水道水に混入させることができる。これによって、水道水を改質でき、品質の良いミネラルウォーターが得られることとなる。
【００３６】
なお水道水は、飲料水として用いられることの他、野菜や食器類、鍋類を洗浄する場合等、飲料以外の目的で使用されることも多い。このような場合は水道水を改質する必要が特にないため、前記水質改質材９の劣化の進行を極力遅くするために、前記角筒体２０を前記蛇口部３から取り外すのがよい。この取り外しは、左右の前記紐部３１，３１の結着状態を解いて行う。蛇口部３から取り外された角筒体２０は、例えば図３に示すように、例えば流し台の上面としての載置部１９に、前記脚部１６の下端１７で載置状態とする。これによって前記底部１２は該載置部１９から浮き上がる。従って、前記水質改質材９が該載置部１９に直に接触する恐れがなく、該水質改質材９が不衛生となる恐れがない。なお本実施例においては図１に示すように、前記一対の紐状部材２６，２６の前記カバー片２９，２９の幅寸法が前記角筒体２０の正方形の一辺の長さに略等しい５０ｍｍ程度に設定されているため、該カバー片２９を、該角筒体２０の上端の前記口部分６を覆うための蓋として利用することもできる。
【００３７】
図５は、一方の前記紐状部材２６ａの前記カバー片２９ａで前記口部分６を略覆った状態を示し、図６は、両紐状部材２６，２６を前記の両カバー片２９，２９で結着することによって該紐状部材２６，２６で該口部分６を略覆った状態を示している。これによって、該角筒体２０内にその該口部分６を通してゴミや埃が侵入するのを防止できることとなる。
【００３８】
そして、再び水道水を飲料用に利用したい場合は、前記と同様の要領によって前記紐部３１，３１を前記蛇口部３に結着することによって、前記角筒体２０を該蛇口部３に取り付け、前記口部分６を通して該角筒体２０内に水道水を流入させる。
【００３９】
このようにして、水道水を飲料用に利用する場合にのみ、前記水質改質材９が収容されている前記角筒体２０を前記蛇口部３に取り付けることとすれば、該水質改質具７を長期間に亘って使用できることとなる。該水質改質具１が長期間使用されて前記水質改質材パック７が使用期限に達したときは、該水質改質具１の全体を交換できる。
【実施例２】
【００４０】
本考案は、前記実施例で示したものに限定されるものでは決してなく、「実用新案登録請求項の範囲」の記載内で種々の設計変更が可能であることはいうまでもない。その一例を挙げれば次のようである。
【００４１】
(1) 前記有底の収容筒体５は、前記した正方形状の角筒体２０として構成されることの他、水質改質材パック部７を下方から支持でき且つ前記流出孔１１を有する前記底部１２が設けられてなるプラスチック製の筒体として構成されればよいのであり、例えば図７に示すような有底の円筒体３９や、図８に示すような六角形状筒体４０、図９に示すような八角形状筒体４１等として構成されてもよい。又、角筒状を呈する該収容筒体５の角部分は円弧状に構成されてもよい。又、該収容筒体５の上部分を、波形を呈するものとする等、適宜に装飾してもよい。これらの収容筒体５も、前記した正方形状の角筒体２０におけると同様に、その下端２１が下方に延長された状態で、図３に示すと同様にして、周方向に連続して円筒状や角筒状等を呈する前記脚部１６が設けられる。
【００４２】
このように構成された収容筒体５は、その内部に前記水質改質材パック７が収容された状態で、適宜の取付け手段２によって水道の蛇口部３に着脱可能に取り付けられ、該収容筒体５内に流入した水道水の水質を改質できる。
【００４３】
(2) 前記収容筒体５の下端１５に突設される前記脚部１６は、該収容筒体５を該脚部１６の下端１７で前記載置部１９に載置したときに前記底部１２が該載置部１９から浮き上がるように構成されればよいのであり、例えば図１に示すように、周方向に連続する如く構成されることの他、例えば図１０に示すように周方向に所要間隔を置いて設けられることもある。
【００４４】
(3) 前記収容筒体５の前記底部１２は、図３に示すような水平板状に構成されることの他、下に突の状態に構成されたり、上に突の状態に構成されることもある。
【００４５】
(4) 図１１〜１２は、前記取付け手段２の他の態様を示すものであり、１本の紐状物４２の両下端４３，４３を、前記収容筒体５の上部４５の対向部位４６，４６としての前記上端の縁部分２４に固定してなる。そして、該紐状物４２を以て構成されたループ状部４７の上端部分４９を、図１２に示すように、前記蛇口部３に設けられている段差部５０に着脱可能に掛着させ得るように構成されている。この場合は、該ループ状部４７が前記口部分６を覆うことができないため、前記載置部１９に載置された状態にある収容筒体５の上端の口部分６を覆う必要がある場合は、該口部分６を別体の蓋片で覆うことになる。
【００４６】
(5) 前記収容筒体５を前記蛇口部３に取り付けるための取付け手段２のその他の態様は、前記収容筒体５の例えば上端の縁部分２４に付設されて前記蛇口部３に磁気吸着される強力な磁石を以て構成できる。なお該蛇口部３には、必要に応じて、該磁石が吸着し得る磁性部を設ける。該磁性部は、例えば、該蛇口部３に巻き付けて設けることができる。又該取付け手段２は、前記収容筒体５の例えば上端の縁部分２４に付設されて前記蛇口部３に掛着されるフック部を以て構成することもできる。この場合、該フック部が掛着されるリング状部等の係合部材を前記蛇口部３に設けることとしてもよい。又、該取付け手段２を、面状ファスナを用いた止着部材を以て構成することもできる等、各種の公知手段を用いて該取付け手段２を構成できる。
【００４７】
(6) 図１３に示すように、前記水質改質材パック７が収容された状態で該水質改質材パック７が該収容筒体５の下端側の部分５１の内面５２に接する場合、該接する該下端側の部分５１にも前記流出孔１１が設けられることもある。
【００４８】
(7) 前記水質改質材パック７は、図１４に示すように、炭の砂状粒状物を袋体等の透水性の容体１０に収納してなる第１のパック５２と、ミネラル材の砂状粒状物を別個の容体１０に収納してなる第２のパック５３の２種類を以て構成することもできる。この場合は、これら２つのパックを、積み重ね状態で前記収容筒体５内に収容して前記底部１２に載置状態とする。この場合、上に位置するものは、第１のパック５２であっても第２のパック５３であってもよい。この状態で該収容筒体５内に水道水を流入させると、流入した水道水は、該第１のパック５２と該第２のパック５３を透過し、該第１のパック（炭の砂状粒状物が収容されているパック）５２によって、水道水に含まれている錆や塩素等の不純物を吸着除去できると共に、該第２のパック（ミネラル材の砂状粒状物が収容されているパック）５３によって、該ミネラル材から溶出したミネラル成分を該水道水に混入させることができる。これによって、水道水を改質でき、品質の良いミネラルウォーターを得ることができる。
【００４９】
(8) 前記収容筒体5 を前記蛇口部３に取り付けた状態で、該収容筒体５の上端の前記口部分６は、該口部分６内に存してよい他、該口部分６の上端に位置してもよく、或いは、該口部分６の上側に位置してもよい。
【００５０】
(9) 前記角筒体２０の左右対向する外側面２２ａ，２２ａの上端面部分２５，２５に設ける前記挿入溝３７，３７は、例えば図１５に示すようなＺ字状の部材５５を用いて構成してもよい。この場合は、該Ｚ字状の部材５５の下の垂直片５６を該上端面部分２５に接着したり溶着することによって、その上の垂直片５７と該上端面部分２５との間に該挿入溝３７を構成できる。
【符号の説明】
【００５１】
１  水質改質具
２  取付け手段
３  蛇口部
５  収容筒体
６  口部分
７  水質改質材パック
９  水質改質材
１０  容体
１１  流出孔
１２  底部
１３  吐水口
１６  脚部
１９  載置部
２０  角筒体
２２  外表面
２４  上端の縁部分
２６  紐状部材
【図１】
0003209734.tif 000003
【図２】
0003209734.tif 000004
【図３】
0003209734.tif 000005
【図４】
0003209734.tif 000006
【図５】
0003209734.tif 000007
【図６】
0003209734.tif 000008
【図７】
0003209734.tif 000009
【図８】
0003209734.tif 000010
【図９】
0003209734.tif 000011
【図１０】
0003209734.tif 000012
【図１１】
0003209734.tif 000013
【図１２】
0003209734.tif 000014
【図１３】
0003209734.tif 000015
【図１４】
0003209734.tif 000016
【図１５】
0003209734.tif 000017